(57)【要約】【課題】液晶パネルやプリント基板の装置本体への組み付けや部品交換が簡単になるとともに、プリント基板を設置するためのスペースが少なくてすみ配線の設置も簡単になる電子装置を提供すること。【解決手段】電子鍵盤装置１０に設けられた窓部１５に取り付けられる表示パネル２０を台座３０に組み付けた状態で窓部１５に取り付けた。その際、表示パネル２０の周縁部に、フレキシブル基板２２ａ，２２ｂ，２２ｃを介して複数のプリント基板２３，２４を接続した。そして、各プリント基板２３，２４にコネクタ部２６，２７を設け、コネクタ部２６，２７を接続することにより、複数のプリント基板２３，２４を台座３０の側面に沿わせた状態に保持させた。【選択図】  図５
2004212772.tif 000002
【特許請求の範囲】
【請求項１】
電子装置本体に設けられた窓部に取り付けられる台座と、
前記窓部から露呈した状態で前記台座の表面に取り付けられる液晶パネルと、
配線回路を有する複数のプリント基板と、
前記液晶パネルの周縁部に前記複数のプリント基板を接続する可撓性連結部材と、
前記複数のプリント基板のうちの少なくとも二つのプリント基板に設けられ、互いに接続することにより、前記複数のプリント基板を前記台座の側面に沿わせた状態に保持するコネクタ部と
を備えたことを特徴とする電子装置。
【請求項２】
前記プリント基板に設けるコネクタ部は、前記プリント基板を前記液晶パネルの周縁部に接続するための前記可撓性連結部材の延設方向と略直角方向に延設されたものである請求項１に記載の電子装置。
【発明の詳細な説明】
【０００１】
【発明の属する技術分野】
本発明は、液晶パネルからなる表示画面を備えた電子装置に関する。
【０００２】
【従来の技術】
従来から、電子装置の中には液晶パネルからなる表示画面を備えたものがある。このような電子装置の装置本体には、液晶パネルを取り付けるための窓部が設けられており、その窓部の内部側の周縁部に、液晶パネルが取り付けられた台座をねじによって組み付けている。これによって、装置本体の窓部から液晶パネルの表示画面を露呈させている（例えば、特許文献１）。また、液晶パネルには、配線回路が形成されたプリント基板が接続されており、このプリント基板も装置本体内の所定箇所に固定される。
【０００３】
【特許文献１】
特開２０００−３２１５５７号公報
【０００４】
【発明が解決しようとする課題】
しかしながら、前述した従来の電子装置では、液晶パネルやプリント基板を一つずつねじを用いて装置本体に組み付けていくため、組み立て作業の効率が悪いという問題や部品交換の際の作業がしづらいという問題もある。また、プリント基板を設置するためのスペースも必要になり大きな空間部が必要になるという問題や配線が嵩張ってその設置がしづらいという問題も有している。
【０００５】
【発明の概要】
本発明は、上記問題に対処するためになされたもので、その目的は、液晶パネルやプリント基板の装置本体への組み付けや部品交換が簡単になるとともに、プリント基板を設置するためのスペースが少なくてすみ配線の設置も簡単になる電子装置を提供することである。
【０００６】
上記の目的を達成するため、本発明にかかる電子装置の構成上の特徴は、電子装置本体に設けられた窓部に取り付けられる台座と、窓部から露呈した状態で台座の表面に取り付けられる液晶パネルと、配線回路を有する複数のプリント基板と、液晶パネルの周縁部に複数のプリント基板を接続する可撓性連結部材と、複数のプリント基板のうちの少なくとも二つのプリント基板に設けられ、互いに接続することにより、複数のプリント基板を台座の側面に沿わせた状態に保持するコネクタ部とを備えたことにある。
【０００７】
前記のように構成した本発明の電子装置においては、液晶パネルと複数のプリント基板とを可撓性連結部材で接続している。そして、その可撓性連結部材は、液晶パネルの周縁部に設けられているため、液晶パネルを台座の表面に設置すると複数のプリント基板は、それぞれ台座の側面に沿うように垂れる。また、各プリント基板には、コネクタ部が設けられており、このコネクタ部同士を接続することにより各プリント基板は台座の側面に沿った状態に維持される。
【０００８】
したがって、台座、液晶パネルおよびプリント基板がコンパクトに組み付けられ、窓部への取り付けが簡単になる。また、部品交換の際の作業も簡単になる。さらに、プリント基板が、コネクタ部同士の接続によって台座の側面に沿った状態に保持されるため、特にプリント基板を設置するためのスペースを設ける必要がなくなり電子装置の小型化が図れる。また、プリント基板を固定するための操作がコネクタ部同士を接続させるだけで済むため極めて簡単になる。また、この場合、プリント基板は少なくとも二つあればよいが、複数のプリント基板がすべてコネクタ部によって接続されることがより好ましい。これによって、各プリント基板はより安定した状態で台座に組み付けられる。
【０００９】
また、本発明にかかる電子装置の他の構成上の特徴は、プリント基板に設けるコネクタ部は、プリント基板を液晶パネルの周縁部に接続するための可撓性連結部材の延設方向と略直角方向に延設されたものであることにある。これによると、台座の側部に沿うプリント基板の端部どうしをコネクタ部で接続するため、コネクタ部を短くすることができる。これによって材料の減少が図れる。また、プリント基板をよりコンパクトに台座に組み付けることができる。
【００１０】
【発明の実施の形態】
以下、本発明の一実施形態による電子装置を図面を用いて説明する。図１は、同実施形態にかかる電子装置としての電子鍵盤装置１０を示している。この電子鍵盤装置１０の上面における前部側（演奏者側）には、それぞれ複数の白鍵１１と黒鍵１２とからなる鍵盤１３が設置され、後部側には後部パネル部１４が形成されている。この後部パネル部１４は、電子鍵盤装置１０の上面後部を覆うカバー部材で構成され取り外しが可能になっている。
【００１１】
そして、後部パネル部１４の中央に、本発明の液晶パネルとしての表示パネル２０が設置されその両側に各種の操作子やスイッチ（図示せず）が設けられている。この電子鍵盤装置１０は、電源スイッチをオン状態にして、白鍵１１と黒鍵１２とを順次押鍵操作することにより演奏を行うことができる。また、その際、表示パネル２０に音符や歌詞を表示することができる。
【００１２】
後部パネル部１４の中央には表示パネル２０を露呈させるための窓部１５が設けられており、後部パネル部１４の内面（裏面）における窓部１５の周囲には、図２に示すように、内部側（図２では上側）に向って突出した枠状縁部１６が形成されている。そして、枠状縁部１６の周囲にスポンジからなる緩衝材１７が取り付けられている。また、枠状縁部１６の四隅の近傍にはそれぞれボス状の突部１８が形成されており、各突部１８にはそれぞれねじを係合させるための穴部１９が設けられている。さらに、後部パネル部１４の内面における両側部分には、操作子やスイッチが接続される各種の基板や配線が設けられている。
【００１３】
表示パネル２０は、図３に示した反射板２１とともに、台座３０に組み付けられて後部パネル部１４の窓部１５に取り付けられる。表示パネル２０は長方形の板状の液晶パネルで構成されており、その周縁部のうちの隣り合った縁部２０ａ，２０ｂに、配線を備えたフレキシブル基板２２ａ，２２ｂ，２２ｃを介して剛性を有する板状のプリント基板２３，２４がそれぞれ接続されている。縁部２０ａは縁部２０ｂよりも長く設定されており、プリント基板２３の長さは縁部２０ａの長さよりもやや短くなるように設定され、プリント基板２４の長さは縁部２０ｂの長さよりもやや短くなるように設定されている。
【００１４】
そして、プリント基板２３におけるプリント基板２４側の端部には、配線を有するフレキシブル基板２５が接続され、そのフレキシブル基板２５の端部にはコネクタ部２６が取り付けられている。また、プリント基板２４におけるプリント基板２３側の端部には、コネクタ部２６と接続可能なコネクタ部２７が設けられている。反射板２１は、白色の薄板で構成されており、表示パネル２０に鮮明な画像を表示させるために表示パネル２０の背面から光を反射させる。
【００１５】
台座３０は下面が開口した箱状に形成されており、白色系の明るい色の部材で構成されている。そして、その上面３０ａの四隅近傍にそれぞれ上方に向って突出した係合爪部３１，３２が設けられている。係合爪部３１，３２はそれぞれ一対からなっており、係合爪部３１は、一端部３１ａが上面３０ａに一体的に繋がり他端部３１ｂが上面３０ａに対して所定距離だけ上方に位置するように形成されている。したがって、係合爪部３１の他端部３１ｂ側は解放された状態になっており、上面３０ａとの間に、表示パネル２０と反射板２１とを重ねてその縁部を差し込めるようになっている。
【００１６】
また、係合爪部３２は、上面３０ａから起立した弾性を有する突起で構成されており、一端側の上部が下り斜面３２ａに形成され、一端側の下部は、凹部３２ｂに形成されている。この凹部３２ｂの高さ方向の長さは、係合爪部３１の他端部３１ｂと上面３０ａとの間隔と略等しい長さに設定されている。したがって、表示パネル２０と反射板２１とを重ねてその一端側の縁部を係合爪部３１と上面３０ａとの間に差し込み、他端側の縁部を上方から係合爪部３２に押し付けると、その他端側の縁部は、係合爪部３２を撓ませながら下り斜面３２ａに沿って下方に移動する。
【００１７】
そして、前記他端側の縁部が係合爪部３２の下部に達すると、凹部３２ｂと係合して、係合爪部３２は元の状態に戻る。これによって、表示パネル２０と反射板２１とは、各縁部を係合爪部３１，３２に係合されて上面３０ａ上に固定される。また、台座３０の四隅近傍における側面の上部にはそれぞれ外側に突出する取付片３３が設けられている。そして、各取付片３３にねじ挿通用の穴部３４が形成されている。
【００１８】
この各取付片３３間の間隔は、後部パネル部１４に設けられた各突部１８間の間隔と等しく設定されており、各取付片３３と各突部１８とをそれぞれ重ね合わせて、穴部１９と穴部３４とにねじ（図示せず）を係合させることにより、台座３０を電子鍵盤装置１０の本体側の後部パネル部１４に取り付けることができる。また、この際、台座３０の上面（台座３０に表示パネル２０と反射板２１とを取り付けた状態のときには、表示パネル２０の表面）は窓部１５から露呈する。
【００１９】
この構成において、表示パネル２０と反射板２１は、前述したように、台座３０に組み付けられて、後部パネル部１４に取り付けられる。この場合、表示パネル２０と反射板２１とを重ねて台座３０の上面３０ａ上に固定すると、表示パネル２０や台座３０等は、図４に示したような組み付け体４０になる。すなわち、プリント基板２３，２４の重さによって、表示パネル２０に接続されたフレキシブル基板２２ａ，２２ｂ，２２ｃは、台座３０の角部に沿って曲がった状態になり、プリント基板２３，２４は、それぞれ台座３０の側面に沿って垂れた状態になる。
【００２０】
そして、プリント基板２３のコネクタ部２６とプリント基板２４のコネクタ部２７とを接続することにより、前記組み付け体４０は、図５および図６に示したコンパクトな状態になる。すなわち、この状態では、プリント基板２３，２４は、それぞれ台座３０の側面に接面するようにして沿った状態になり、その状態がフレキシブル基板２５によって維持される。この場合、プリント基板２３，２４を繋ぐフレキシブル基板２５、コネクタ部２６およびコネクタ部２７は、信号の送信ができ、単に組み付けのための連結部材としてだけでなく配線としての機能も兼ねている。
【００２１】
このように組み付けられた組み付け体４０は、表示パネル２０の画面を穴部１５から露呈させた状態で、後部パネル部１４に取り付けられる。このとき、台座３０の各取付片３３を各突部１８に合わせ、表示パネル２０の周縁部を緩衝材１７に押し付けるようにして組み付け体４０の位置決めをする。そして、突部１８の穴部１９と取付片３３の穴部３４とにねじを係合させることにより、組み付け体４０を後部パネル部１４に取り付ける。そして、組み付け体４０が取り付けられた後部パネル部１４を、鍵盤１３の後部側に組み付けることにより、図１に示した電子鍵盤装置１０になる。
【００２２】
そして、電子鍵盤装置１０を演奏するときには、各種の操作子やスイッチを操作するとともに、鍵盤１３の各鍵１１，１２の押鍵操作を行うことによりメロディーや伴奏等の楽音を発音させる。また、同時に表示パネル２０に、音符や歌詞を表示させることができる。このため、演奏者は、表示パネル２０を見ながら演奏したり、歌を歌いながら演奏したりすることができる。
【００２３】
このように、本実施形態による電子鍵盤装置１０では、表示パネル２０とプリント基板２３，２４とをフレキシブル基板２２ａ，２２ｂ，２２ｃで接続している。このため、表示パネル２０と反射板２１を重ねて台座３０の上面に設置するとプリント基板２３，２４は、それぞれ台座３０の側面に沿うように垂れる。そして、プリント基板２３，２４に設けられたコネクタ部２６，２７を接続することによりプリント基板２３，２４を台座３０の側面に沿った状態に維持することができる。
【００２４】
したがって、台座３０、表示パネル２０、反射板２１およびプリント基板２３，２４をコンパクトに組み付けることができる。このため、この組み付け体４０の後部パネル部１４への取り付けが簡単になる。また、プリント基板２３，２４が、台座３０の側面に沿った状態に保持されるため、プリント基板２３，２４を設置するためのスペースを設ける必要がなくなり電子鍵盤装置１０の小型化が図れる。また、プリント基板２３，２４を固定するための操作がコネクト部２６，２７を接続させるだけで済むため極めて簡単になる。
【００２５】
また、台座３０は、箱状に形成されているため、内部に電子鍵盤装置１０が備える各種の部材を収納したり、配置したりすることが可能になる。さらに、表示パネル２０とプリント基板２３，２４とを接続するフレキシブル基板２２ａ，２２ｂ，２２ｃが配線が備わった基板であるため、特に、表示パネル２０とプリント基板２３，２４とを接続するための連結部材を設ける必要がなくなる。これによって、部品点数の減少が図れる。
【００２６】
また、反射板２１および台座３０は、白色または白色系の部材で構成されているため、光の反射率が良好になり、表示パネル２０の画像がより鮮明になる。なお、反射板２１は、発光体で構成することもできる。さらに、表示パネル２０と反射板２１との台座３０への固定は、係合爪部３１，３２への係合によって行われるため、取り付け操作が簡単であるとともに、確実な固定ができ脱落が生じにくくなる。
【００２７】
また、前述した実施形態の構成については、適宜、変更実施が可能である。例えば、前記実施形態では、組み付け体４０の後部パネル部１４への取り付けをねじで行っているが、この取り付けはねじ以外のもので行ってもよい。例えば、係合爪部３１，３２のような部材を後部パネル部１４に設け、それに取付片３３を係合させることもできる。これによると、組み付け体４０の後部パネル部１４への取り付けがさらに簡単になる。
【００２８】
また、前述した実施形態では、表示パネル２０に接続されたプリント基板を２個としたが、このプリント基板を４個にして、台座３０の４つの側面すべてに配置させるようにしてもよい。また、表示パネル２０の１つの縁部に小さなプリント基板を複数個配置することもできる。さらに、表示パネル２０とプリント基板２３，２４との連結を別途設けた可撓性の連結部材で行うこともできる。
【００２９】
また、前述した実施形態では、反射板２１を、台座３０の上面３０ａと表示パネル２０とで挟んで台座３０に取り付けているが、反射板２１は直接上面３０ａに接着固定してもよい。また、前述した実施形態では、電子装置を電子鍵盤装置１０としたが、本発明による電子装置は、これに限るものでなく、表示パネルを備えた電子装置であればよい。
【図面の簡単な説明】
【図１】本発明の一実施形態による電子鍵盤装置を示す斜視図である。
【図２】後部パネル部の裏面を示す斜視図である。
【図３】組み付け体を分解した状態を示す斜視図である。
【図４】台座の上面に反射板と表示パネルを載せた状態を示す斜視図である。
【図５】図４のプリント基板におけるコネクタ部を接続して組み付け体を形成した状態を示す斜視図である。
【図６】図５に示した組み付け体の正面図である。
【符号の説明】
１０…電子鍵盤装置、１４…後部パネル部、１５…窓部、１８…突部、１９，３４…穴部、２０…表示パネル、２２ａ，２２ｂ，２２ｃ，２５…フレキシブル基板、２３，２４…プリント基板、２６，２７…コネクタ部、３０…台座、３１，３２…係合爪部、３３…取付片。
【図１】
2004212772.tif 000003
【図２】
2004212772.tif 000004
【図３】
2004212772.tif 000005
【図４】
2004212772.tif 000006
【図５】
2004212772.tif 000007
【図６】
2004212772.tif 000008